(57)【要約】【課題】フランジ部を有する容器が複数個連結されている包装容器で、個々の容器を切り離して分離した時に、切り離したフランジ部の切断先端部で手を傷つけ難い包装容器を提供することにある。【解決手段】内容物収納部の周囲にフランジ部を有する容器が切り離し用ミシン目線を介して複数個連結されている包装容器において、該切り離し用ミシン目線が、所定幅の凹凸状カット線の凹部及び凸部の所定位置に、幅方向の一方の側がＶ状に窪み、他方の側が所定形状で窪んでいる形状の窪みカット線を連設し、前記窪みカット線の窪んだ部分の中央に包装容器を個々の容器に分離するための切断用の未カット部を設けた形状のミシン目線からなり、前記未カット部の切断後の切断先端部は包装容器を個々の容器に分離した時にフランジ部の窪んだ部分に位置していることを特徴とする。【選択図】図１
2008127026.tif 000002
【特許請求の範囲】
【請求項１】
内容物収納部の周囲にフランジ部を有する容器が切り離し用ミシン目線を介して複数個連結されている包装容器において、該切り離し用ミシン目線が、所定幅の凹凸状カット線の凹部及び凸部の所定位置に、幅方向の一方の側がＶ状に窪み、他方の側が所定形状で窪んでいる形状の窪みカット線を連設し、前記窪みカット線の窪んだ部分の中央に包装容器を個々の容器に分離するための切断用の未カット部を設けた形状のミシン目線からなることを特徴とする包装容器。
【請求項２】
前記未カット部の切断後の切断先端部は包装容器を個々の容器に分離した時にフランジ部の窪んだ部分に位置していることを特徴とする請求項１記載の包装容器。
【発明の詳細な説明】
【技術分野】
【０００１】
本発明は、内容物収納部の周囲にフランジ部を有する容器が複数個連結されている包装容器に関するものである。
【背景技術】
【０００２】
近年、ヨーグルトなどの内容物の包装容器として、フランジ部を有する容器が複数個連結されているものが多く使用されているが、従来は個々の容器のフランジ部が直線状のミシン目線を介して連結されたものが多く、これらのものはミシン目線の部分から切り離して使用する時に、切り離した切断部が手に触れやすく、容器の材質が硬い場合などは切断部で手を傷つけるなどの不都合があった。複数の収容部を容易に分割できる容器が提案されている（特許文献１参照。）。
【特許文献１】特開２００２−１１４２６５号公報
【発明の開示】
【発明が解決しようとする課題】
【０００３】
しかしながら、上記提案されている容器も、個々の収容部に分割した後に、切り離した切断部で手を傷つけ易い問題点をまだ有していた。
【０００４】
本発明の課題は、フランジ部を有する容器が複数個連結されている包装容器で、個々の容器を切り離して分離した時に、切り離したフランジ部の切断先端部で手を傷つけ難い包装容器を提供することにある。
【課題を解決するための手段】
【０００５】
本発明の請求項１に係る発明は、内容物収納部の周囲にフランジ部を有する容器が切り離し用ミシン目線を介して複数個連結されている包装容器において、該切り離し用ミシン目線が、所定幅の凹凸状カット線の凹部及び凸部の所定位置に、幅方向の一方の側がＶ状に窪み、他方の側が所定形状で窪んでいる形状の窪みカット線を連設し、前記窪みカット線の窪んだ部分の中央に包装容器を個々の容器に分離するための切断用の未カット部を設けた形状のミシン目線からなることを特徴とする包装容器である。
【０００６】
本発明の請求項２に係る発明は、上記請求項１に係る発明において、前記未カット部の切断後の切断先端部は包装容器を個々の容器に分離した時にフランジ部の窪んだ部分に位置していることを特徴とする包装容器である。
【発明の効果】
【０００７】
本発明の包装容器は、内容物収納部の周囲にフランジ部を有する容器が切り離し用ミシン目線を介して複数個連結されている包装容器において、該切り離し用ミシン目線が、所定幅の凹凸状カット線の凹部及び凸部の所定位置に、幅方向の一方の側がＶ状に窪み、他方の側が所定形状で窪んでいる形状の窪みカット線を連設し、前記窪みカット線の窪んだ部分の中央に包装容器を個々の容器に分離するための切断用の未カット部を設けた形状のミシン目線からなっており、前記未カット部の切断後の切断先端部は包装容器を個々の容器に分離した時にフランジ部の窪んだ部分に位置しているので、包装容器を個々の容器に分離した時、あるいは分離後中の内容物を食する時などに、フランジ部の切断先端部が手に触れることがなく、切断先端部で手を傷つけることが無い。
【発明を実施するための最良の形態】
【０００８】
本発明の包装容器を実施の形態に沿って以下に説明する。図１（ａ）は本発明の包装容器の一実施形態を示す斜視図であり、包装容器（１）は、内容物収納部（２ａ）の周囲にフランジ部（２ｂ、２ｃ）を有する容器（２）のフランジ部（２ｂ）と、内容物収納部（３ａ）の周囲にフランジ部（３ｂ、３ｃ）を有する容器（３）のフランジ部（３ｂ）とが、切り離し用ミシン目線（１０）を介して連結されており、（ｂ）は（ａ）の切り離し用ミシン目線の形状を示す拡大説明図であり、切り離し用ミシン目線（１０）は、カット線（１１ａ、１１ｂ、１１ｃ、１１ｄ、１１ｅ、１１ｆ、１１ｇ）を有しており、さらに、カット線（１１ａ）とカット線（１１ｂ）の間、カット線（１１ｃ）とカット線（１１ｄ）の間及びカット線（１１ｅ）とカット線（１１ｆ）の間にそれぞれ、包装容器（１）を容器（２）と容器（３）に切り離すために切断する部分となる未カット部（１３）を窪んだ部分の中央に有する窪みカット線（１２ａ）を有しており、さらに、カット線（１１ｂ）とカット線（１１ｃ）の間、カット線（１１ｄ）とカット線（１１ｅ）の間及びカット線（１１ｆ）とカット線（１１ｇ）の間にそれぞれ、包装容器（１）を容器（２）と容器（３）に切り離すために切断する部分となる未カット部（１３）を窪んだ部分の中央に有する窪みカット線（１２ｂ）を有している。前記カット線（１１ａ、１１ｂ、１１ｃ、１１ｄ、１１ｅ、１１ｆ、１１ｇ）及び窪みカット線（１２ａ、１２ｂ）はフランジ部を貫通する状態で切り込まれており、空間（１４）を有している。従って、包装容器（１）は切り離される前迄は容器（２）と容器（３）が未カット部（１３）の部分で連結された状態であり、個々の容器に分離するためには未カット部（１３）を切断して切り離し、分離する。
【０００９】
前記未カット部（１３）を有する窪みカット線（１２ａ）と、未カット部（１３）を有する窪みカット線（１２ｂ）は、凹凸状カット線の凸部と凹部のそれぞれの側面の位置に設けられていても良く、この場合も未カット部（１３）を切断しても、その切断先端部は直接手に触れることがない。また、窪みカット線（１２ａ）と窪みカット線（１２ｂ）は幅方向の一方の側はＶ状に窪み、他方の側はＵ状に窪んでいる形状になっているが、Ｕ状に窪んでいる側はこの形状に限定されず、三角状、四角状に窪んでいる形状でも構わない。
【００１０】
図２は本発明の包装容器を個々の容器に分離した後の切り離し用ミシン目線部分のフランジ部の周縁形状を示す説明図であり、容器（２）のフランジ部（２ｂ）はその周縁が凹凸形状になっており、未カット部（１３）を切断してなる先端が鋭角な切断先端部（１３ａ）を３箇所有しており、同様に、容器（３）のフランジ部（３ｂ）はその周縁が凹凸形状になっており、未カット部（１３）を切断してなる先端が鋭角な切断先端部（１３ａ）を三箇所有している。前記の如く、それぞれの切断先端部（１３ａ）は、すべて周囲よりは奥まった位置にあり、手が触れ難いようになっているので、切断先端部（１３ａ）で手を傷つけることがない。
【００１１】
本発明の包装容器に使用する材料は、熱可塑性樹脂であれば特に限定されないが、例えば、ポリプロピレン樹脂、ポリスチレン樹脂、ポリエステル樹脂、ナイロン樹脂などが好ましく使用される。
【００１２】
本発明の包装容器の特徴とするところは、個々の容器が前記記載の形状の切り離し用ミシン目線を介して連結されているので、内容物を収納し、密封したものを、個々の容器に切り離した後に、中の内容物を食する時などにフランジ部の切断先端部で手を傷つけることがなく、安全に食することが可能である。
【図面の簡単な説明】
【００１３】
【図１】（ａ）は本発明の包装容器の一実施形態を示す斜視図であり、（ｂ）は（ａ）の包装容器の切り離し用ミシン目線の形状を示す拡大説明図である。
【図２】本発明の包装容器を個々の容器に分離した時の切り離し用ミシン目線部分のフランジ部の周縁形状を示す説明図である。
【符号の説明】
【００１４】
１…包装容器
２…容器
２ａ…内容物収納部
２ｂ，２ｃ…フランジ部
３…容器
３ａ…内容物収納部
３ｂ，３ｃ…フランジ部
１０…切り離し用ミシン目線
１１ａ，１１ｂ，１１ｃ，１１ｄ，１１ｅ，１１ｆ，１１ｇ…カット線
１２ａ，１２ｂ…窪みカット線
１３…未カット部
１３ａ…切断先端部
１４…空間
【図１】
2008127026.tif 000003
【図２】
2008127026.tif 000004